(57)【要約】【課題】本発明は、商品の賞味期限入力を補充のたびに入力することなく、簡単な設定にて商品の賞味期限管理が可能な自動販売機を提供することにある。【解決手段】商品選択ボタンを備え、商品選択ボタンが押されることにより販売期限付き商品をコラムに投入された順に販売する自動販売機において、前記コラム毎に販売期間と収容数とを設定する手段と、該設定する手段により設定された販売期間と収容数との運用を開始する手段と、現在日付から記憶されている販売期間内の商品販売本数を確認し、該販売本数と前記収容数とを比較し該販売本数と前記収容数とを比較し、前記販売本数が前記収容数に達していないコラムがあるときには表示器に表示させ、前記販売本数が前記収容数に達している場合には前記運用状態を継続させる制御手段と、を備えてなるものである。【選択図】図１
2010015473.tif 000002
【特許請求の範囲】
【請求項１】
商品選択ボタンを備え、商品選択ボタンが押されることにより販売期限付き商品をコラムに投入された順に販売する自動販売機において、前記コラム毎に販売期間と収容数とを設定する手段と、該設定する手段により設定された販売期間と収容数との運用を開始する手段と、現在日付から記憶されている販売期間内の商品販売本数を確認し、該販売本数と前記収容数とを比較し、前記販売本数が前記収容数に達していないコラムがあるときには表示器に表示させ、前記販売本数が前記収容数に達している場合には前記運用状態を継続させる制御手段と、を備えたことを特徴とする自動販売機。
【請求項２】
請求項１に記載の自動販売機において、前記販売本数が前記収容数に達している場合には、コラムに商品補充が行われても前記運用状態を継続させることを特徴とする自動販売機。
【請求項３】
請求項１また２のいずれか１項に記載の自動販売機において、前記設定する手段はリモコンからなり、当該リモコンには、前記開始する手段としての賞味期限スイッチと、前記表示器としての注意ランプとを備え、前記賞味期限スイッチを連続押しすることにより運用が開始となり、前記現在日付から記憶されている販売期間内の商品販売本数を確認し、該販売本数と前記収容数とを比較する機能を開始させ、前記販売本数が前記収容数に達していない場合には前記注意ランプを表示させることを特徴とする自動販売機。
【請求項４】
請求項３に記載の自動販売機において、前記リモコンは、さらに、確認スイッチと、動作中ランプとを備え、前記が有効である場合には動作中ランプを点灯させ、前記注意ランプ点灯中に前記確認スイッチを押すことにより、該当する商品選択ボタンの売切ランプを表示させることを特徴とする自動販売機。
【請求項５】
請求項４に記載の自動販売機において、前記確認スイッチが操作された際には、前記商品販売本数をリセットし、前記設定する手段により設定された販売期間と収容数との運用を再開始することを特徴とする自動販売機。
【発明の詳細な説明】
【技術分野】
【０００１】
本発明は、賞味期限、消費期限など販売期限が規定されている商品を販売する自動販売機に関する。
【背景技術】
【０００２】
従来、賞味期限、消費期限など販売期限が規定されている商品を販売する自動販売機においては、コラム別に商品の新たな補充数を設定し、さらにこの新たに補充された商品の期限、即ち、期限切れの年月日を設定して、販売を開始する。
【０００３】
その後、日付のかわる時に期限切れとなる商品が残存するコラムがあるか否かを判断し、そのようなコラムであれば、そのコラムを販売停止にする自動販売機が知られている（例えば、特許文献１参照）。
【特許文献１】特開平３−２７１８９１号公報
【発明の開示】
【発明が解決しようとする課題】
【０００４】
ところで、前述した従来の自動販売機においては、商品を補充した際に、商品補充数の設定および商品の賞味期限を必ず設定する必要があるため、管理者にとって、補充する度に毎回設定する必要が有り、作業が面倒であり、また、期限管理が複雑なる。
【０００５】
そこで、本発明は、商品の賞味期限入力を補充のたびに入力することなく、簡単な設定にて商品の賞味期限管理が可能な自動販売機を提供することを目的とする。
【課題を解決するための手段】
【０００６】
上記目的を達成するために、本発明は、商品選択ボタンを備え、商品選択ボタンが押されることにより販売期限付き商品をコラムに投入された順に販売する自動販売機において、前記コラム毎に販売期間と収容数とを設定する手段と、該設定する手段により設定された販売期間と収容数との運用を開始する手段と、現在日付から記憶されている販売期間内の商品販売本数を確認し、該販売本数と前記収容数とを比較し、前記販売本数が前記収容数に達していないコラムがあるときには表示器に表示させ、前記販売本数が前記収容数に達している場合には前記運用状態を継続させる制御手段と、を備えたことを特徴とする。
【０００７】
前記販売本数が前記収容数に達している場合には、コラムに商品補充が行われても前記運用状態を継続させることを特徴とする
上記自動販売機において、前記設定する手段と開始する手段はリモコンからなり、当該リモコンには、前記開始する手段としての賞味期限スイッチと、前記表示器としての注意ランプとを備え、前記賞味期限スイッチを連続押しすることにより運用が開始となり、前記現在日付から記憶されている販売期間内の商品販売本数を確認し、該販売本数と前記収容数とを比較する機能を開始させ、前記販売本数が前記収容数に達していない場合には前記注意ランプを点灯することを特徴とする。
【０００８】
また、前記リモコンは、さらに、確認スイッチと、動作中ランプとを備え、前記が有効である場合には動作中ランプを点灯させ、前記注意ランプ点灯中に前記確認スイッチを押すことにより、該当する商品選択ボタンの売切ランプを点灯させることを特徴とする。
【０００９】
さらに、前記確認スイッチが操作された際には、前記商品販売本数をリセットし、前記設定する手段により設定された販売期間と収容数との運用を再開始することを特徴とする。
【発明の効果】
【００１０】
本発明は、商品選択ボタンを備え、商品選択ボタンが押されることにより販売期限付き商品をコラムに投入された順に販売する自動販売機において、設定した販売期間内の販売本数が前記収容数に達しているコラムは、賞味期限管理の運用状態を継続させるため、御手段と商品を補充するたびに、補充した商品の販売期限を入力する必要が無く、管理者にとっては作業が簡略化できる。
【００１１】
また、販売期間内の販売本数が前記収容数に達しているコラムに商品補充が行われた場合においても、改めて販売期間と収容数とを設定する必要が無く、管理者にとっては作業が簡略化できる。
【００１２】
さらに、前記販売本数が前記収容数に達していないコラムがあるときには表示器に表示させることで、管理者に賞味期限切れの可能性があるコラムがあることを容易に理解させることができ、しかも、確認スイッチを操作することで、運用を再開始させることができるため、わざわざ再設定する必要がなく、管理者にとっては作業が簡略化できる。
【発明を実施するための最良の形態】
【００１３】
以下に添付図面を参照しながら、本発明に係る自動販売機の実施の形態について説明する。
図４は、本発明の実施の対象となる自動販売機の概略正面図の一例を示すものであり、自動販売機４０は、その本体キャビネット前面に外扉４１を備えており、本体キャビネット内には複数種類の商品を個別に収納する複数（ｎ個）のコラムを備えており、商品選択ボタン４２が押され、販売指令が与えられた場合に押された商品選択ボタン４２に対応する商品の払い出しを行う。
この外扉４１には、その表面側に販売可能ランプおよび売切ランプを内蔵する商品選択ボタン４２、商品見本展示室４３、硬貨投入口４４、返却レバー４５、金額表示器４６、硬貨返却口４７、商品取出口４８が設けられている。
【００１４】
商品見本展示室４３は、外扉４１の上部に構成した透明の窓を有し、内部に配列した商品見本４３ａを外部に視認させることが可能である。商品見本展示室４３を通じて視認される商品見本４３ａは、それぞれコラムに収納した商品を現し、商品選択ボタン４２と対応して設けられている。
【００１５】
図１は、この発明の一実施の形態を示す構成ブロック図である。
１は装置全体を制御する主制御部で、該主制御部１は、自動販売機の制御に必要な制御プログラムを格納するメモリ１a、コラム別満杯収容数並びに販売期間など自動販売機の機能に必要な種々のデータを記憶するメモリ１ｂ、カレンダ機能を内蔵する時計１ｃを備えている。
【００１６】
この主制御部１には、コラム別満杯収容数並びに販売期間などの自動販売機の各種設定値を入力するためのリモコン２、庫内の商品を冷却あるいは加温するための冷熱制御部３、商品搬出を行う商品搬出装置４、硬貨処理装置６が接続されている。
【００１７】
このほか主制御部１には、販売可能ランプ４２ａ、売切ランプ４２ｂを内蔵する商品選択ボタン４２、金額表示器４６が接続されている。
また、リモコン２には、本発明に関係する機能として、賞味期限スイッチ２ａ、確認スイッチ２ｂ、賞味期限機能動作中ランプ２ｃ、注意ランプ２ｄ、アップダウンキー２ｅが新たに設けられたものとする。
【００１８】
この構成において、まず、設定モード時の操作について図２のフローチャート図を用いて説明する。
まず、自動販売機４０の外扉４１を開放して初めて商品をローディングした際、あるいは商品を違う新商品に変更した場合に、リモコン２を操作して、賞味期限設定モードとし（ステップＳ１，Ｙｅｓ）、アップダウンキー２ｅを操作して、コラム別の収容本数として３０本を入力し（ステップＳ２）、次に、販売期間として、例えば、９０日を入力して（ステップＳ３）、メモリ１ｂの所定領域に記憶させ（ステップＳ４）、賞味期限スイッチ２ａを連続押しすることにより（ステップＳ５，Ｙｅｓ）、賞味期限動作中ランプ２ｃを点灯させ（ステップＳ６）、賞味期限機能が運用を開始となる（ステップＳ７）。
【００１９】
このように、９０日間の間に３０本の売上があれば、賞味期限切れは発生していないと判定する。
なお、入力順序は問わず、また、コラム別あるいは全コラム一括して設定可能で有り、また、初期値としての数値も予め記憶しておき、その初期値のままで良い場合には設定入力の操作する必要がなく、賞味期限スイッチ２ａを連続押しするだけで良い。
【００２０】
また、賞味期限管理の運用を無効とする場合には、再度、賞味期限スイッチ２aを連続押しすることで無効となり、賞味期限動作中ランプ２ｃを消灯させる。
さらに、販売期間あるいは満杯収容数が「０」設定されているコラムについては、賞味期限スイッチ２aを連続押ししても、設定を無効とする。
【００２１】
次に、商品の販売動作の一例を説明する。
購入者が硬貨投入口４４に所定の硬貨を投入することにより、その投入された金額を金額表示器４６に表示させ、購入可能な商品の販売可能ランプ４２ａを点灯させる。
【００２２】
ここで、所望の商品選択ボタン４２が押されると、主制御部１は、商品搬出装置４に対して商品搬出指令を送信し、商品搬出装置４はコラムから商品を搬出させ、商品を商品取出口４８に搬出することで、販売動作が終了し、主制御部１では、メモリ１ｂの所定領域に販売本数を集計する。
【００２３】
なお、釣銭がある場合には、硬貨返却口４７へ返却する。
この賞味期限管理を上記設定モードにて設定した条件で有効とした場合について、図３のフローチャート図を用い、賞味期限管理の運用処理についてその動作を説明する。
【００２４】
まず、例えば、午前零時になると（ステップＳ１１，Ｙｅｓ）、現在日付から過去９０日間経過したかを判断し（ステップＳ１２）、経過していなければ（ステップＳ１２，Ｎｏ）、通常の販売を継続する。
【００２５】
一方、９０日間が経過すると（ステップＳ１２，Ｙｅｓ）、満杯収容本数である「３０本」が売れたかを判断する（ステップＳ１３）。
「３０本」売れていなければ（ステップＳ１３，Ｎｏ）、賞味期限切れを起こしている可能性大として、注意ランプ２ｄの点灯（ステップＳ１４）、必要に応じて売切ランプ４２ｂを点灯させて、該当商品の販売を禁止する（ステップＳ１５）。
【００２６】
「３０本」売れていれば（ステップＳ１３、Ｙｅｓ）、賞味期限切れの商品は無いと判断して、販売並びに賞味期限管理の運用を継続する（ステップＳ１６）。
この処理を全コラムについて行う。
【００２７】
次に、次の日になると、ステップＳ１１にて、午前零時かを判断し、ステップＳ１２からの処理を繰り返し行う。
すなわち、現在日付から過去９０日間経過したかを判断し、「３０本」が売れたかを判断する（ステップＳ１２）。
【００２８】
「３０本」売れていなければ（ステップＳ１３，Ｎｏ）、賞味期限切れを起こしている可能性大として、注意ランプ２ｄの点灯（ステップＳ１４）、必要に応じて売切ランプ４２ｂを点灯させて、該当商品の販売を禁止する（ステップＳ１５）。
【００２９】
「３０本」売れていれば（ステップＳ１３、Ｙｅｓ）、賞味期限切れの商品は無いと判断して、販売並びに賞味期限管理の運用を継続する（ステップＳ１６）。
この処理を全コラムについて行う。
【００３０】
このように、本実施の形態としては、設定された期間で何本売れたかのみを賞味期限切れの判断基準として賞味期限切れを判断するものであり、９０日間経過後、毎日、図３の処理を繰り返し行うものである。
【００３１】
また、賞味期限管理の運用設定は、実商品売切、新商品入替え、販売本数に達していない商品払出の際には、メモリ１ｂの記憶の販売本数をリセットして、最スタートあるいは再設定要となるが、設定された期間で設定された本数が販売されているコラムでは、実売切とならずに商品を補充する際には、賞味期限設定を何ら行うことなく、運用そのまま継続することができる。
【００３２】
上記実施形態の他に、賞味期限切れ発生時の処理について以下に説明する。
賞味期限切れが発生時には、注意ランプ２ｄを点灯させ、売切ランプ４２ｂは点灯させていないものとする。
【００３３】
ここで、管理者が自動販売機４０の外扉４１を開けたとすると、リモコン２に搭載されている注意ランプ２ｄの点灯を確認して、次に、確認スイッチ２ｂを押すと、該当するコラムの商品の売切ランプ４２ｂを点灯させる。
【００３４】
次に、売切ランプ４２ｂの点灯している商品選択ボタン４２を押すと、金額表示器４６に９０日間の販売本数を表示させる。
このように、確認スイッチ２ｂを操作することで、商品選択ボタン４２が押されたコラムの賞味期限管理の運用はリセットされ、この日から９０日間を再スタートさせ、その他のコラムのデータは継続するものである。
【００３５】
なお、賞味期限切れ発生時に、注意ランプ２ｄを点灯させるとともに、そのコラムの売切ランプ４２ｂを点灯させて、その商品の販売を禁止する。
この場合には、確認スイッチスイッチ２ｂを押すと、該当するコラムの商品の売切ランプ４２ｂを点滅するようにすれば、実際の商品切れと区別可能となる。
【００３６】
また、商品選択ボタン４２を押すことで金額表示器４６に販売本数を表示するようにしたが、商品選択ボタン４２毎にデジタル式の価格表示器を備えている場合には、商品選択ボタン４２を押すことなく、確認スイッチ２ｂが押されると、売切ランプ４２ｂが点灯（点滅）している商品選択ボタン４２に対応する全てのデジタル式の価格表示器に販売本数を表示させるようにしてもよい。
【００３７】
次に、賞味期限切れが発生していない場合の確認作業について説明する。
ここで、管理者が自動販売機４０の外扉４１を開けたとすると、リモコン２に搭載されている注意ランプ２ｄの点灯していないものとし、次に、確認スイッチ２ｂを押すと、商品選択ボタン４２の販売可能ランプ４２ａを点灯させる。
【００３８】
次に、商品選択ボタン４２を押すと、金額表示器４６に９０日間の販売本数を表示させ、順次、商品選択ボタン４２を押すことにより、金額表示器４６に９０日間の販売本数を表示させる。
【００３９】
この場合には、確認スイッチ２ｂを操作したとしても、賞味期限管理の運用はリセットをしない。
なお、商品選択ボタン４２毎にデジタル式の価格表示器を備えている場合には、商品選択ボタン４２を押すことなく、確認スイッチ２ｂが押されると、販売可能ランプ３２ａが点灯している商品選択ボタン４２に対応する全てのデジタル式の価格表示器に販売本数を表示させるようにしてもよい。
【００４０】
また、商品選択ボタン４２毎にデジタル式の価格表示器を備えている場合には、確認スイッチ２ｂを操作するだけで、賞味期限切れ発生の有無に関係無く、全ての価格表示器に一斉に販売本数を表示させ、販売可能ランプ４２ａ、売切ランプ４２ｂの表示状態によって区別するようにしてもよい。
【図面の簡単な説明】
【００４１】
【図１】本発明の一実施の形態である制御構成を示すブロック図
【図２】本発明の一実施の形態である設定処理を示すフローチャート図
【図３】本発明の一実施の形態である賞味期限管理の運用処理を示すフローチャート図
【図４】本発明の実施の対象となる自動販売機の概略正面図
【符号の説明】
【００４２】
１            主制御部
１ａ，１ｂ    メモリ
１ｃ          時計
２            リモコン
２ａ          賞味期限スイッチ
２ｂ          確認スイッチ
２ｃ          賞味期限機能動作中ランプ
２ｄ          注意ランプ
４０          自動販売機
４１          外扉
４２          商品選択ボタン
４２ａ        販売可能ランプ
４２ｂ        売切ランプ
４６          金額表示器
【図１】
2010015473.tif 000003
【図２】
2010015473.tif 000004
【図３】
2010015473.tif 000005
【図４】
2010015473.tif 000006